(57)【要約】【課題】発光素子からの熱を効果的に放散できる照明器具を提供する。【解決手段】照明器具１００は、基板１と、複数の発光素子２とを備える。発光素子２は、基板１に直交する基準線ＡＸに対する周方向ＣＤに沿って、基板１の周端部１ｅに配置される。基板１は、複数の第１導電領域１１を有する。複数の第１導電領域１１の各々は、周方向ＣＤに互いに隣り合う発光素子２を接続する。複数の第１導電領域１１の各々は、基板１の主面１０に配置される。複数の第１導電領域１１の各々は、基準線ＡＸに対する径方向ＲＤに沿って、基準線ＡＸの側から基板１の周端部１ｅまで分断することなく延びている。【選択図】図２
2020181642.tif 000002
【特許請求の範囲】
【請求項１】
基板と、
前記基板に直交する基準線に対する周方向に沿って、前記基板の周端部に配置される複数の発光素子と
を備え、
前記基板は、前記周方向に互いに隣り合う前記発光素子を接続する複数の第１導電領域を有し、
前記複数の第１導電領域の各々は、前記基板の主面に配置され、前記基準線に対する径方向に沿って、前記基準線の側から前記基板の前記周端部まで分断することなく延びている、照明器具。
【請求項２】
前記基板は、前記基板の前記周端部のうち第１位置から第２位置まで延びる一対の第２導電領域を有し、
前記一対の第２導電領域の各々は、前記主面のうち前記基準線を含む中央領域を通過する、請求項１に記載の照明器具。
【請求項３】
前記第１導電領域には、光を拡散又は反射する塗料が塗布されている、請求項１または請求項２に記載の照明器具。
【請求項４】
前記基板及び前記複数の発光素子を収容する筐体をさらに備え、
前記筐体は、
前記発光素子の発光した光が通過する開口と、
遮光性を有し、前記開口を形成する枠部と
を有し、
前記主面のうち、前記発光素子に対して前記基準線の側の領域には、文字が形成されており、
前記文字が形成された前記領域は、前記発光素子に隣接している、請求項１から請求項３のいずれか１項に記載の照明器具。
【請求項５】
前記基板は、原基板から切り離された分離部を有し、
前記主面上の第１領域の前記周方向の長さを示す第１距離は、前記主面上の第２領域の前記周方向の長さを示す第２距離よりも長く、
前記第１領域は、前記周方向に互いに隣り合う前記発光素子の間の領域であって、前記分離部に対向し、
前記第２領域は、前記周方向に互いに隣り合う前記発光素子の間の領域であって、前記分離部に対向しない、請求項１から請求項４のいずれか１項に記載の照明器具。
【請求項６】
前記基板は、切欠き部を有し、
前記複数の発光素子は、発光素子群を構成し、
前記発光素子群の前記周方向の両端部に位置する少なくとも１つの前記発光素子は、前記切欠き部に前記周方向に対向する、請求項１から請求項５のいずれか１項に記載の照明器具。
【発明の詳細な説明】
【技術分野】
【０００１】
本発明は、照明器具に関する。
【背景技術】
【０００２】
特許文献１に記載された発光装置は、複数の光源と、基板とにより構成されている。基板の一方の主面には、複数の配線パターンと、光源グループが適宜位置に設けられている。配線パターンは、光源に接続される。
【先行技術文献】
【特許文献】
【０００３】
【特許文献１】特開２００９−２７２１８９号公報
【発明の概要】
【発明が解決しようとする課題】
【０００４】
しかしながら、特許文献１に記載された発光装置では、配線パターンの面積が比較的小さい。従って、光源からの熱を効果的に放散できなかった。
【０００５】
本発明は上記課題に鑑み、発光素子からの熱を効果的に放散できる照明器具を提供することを目的とする。
【課題を解決するための手段】
【０００６】
本願に開示する照明器具は、基板と、発光素子とを備える。前記発光素子は、前記基板に直交する基準線に対する周方向に沿って、前記基板の周端部に配置される。前記基板は、前記周方向に互いに隣り合う前記発光素子を接続する複数の第１導電領域を有する。前記複数の第１導電領域の各々は、前記基板の主面に配置され、前記基準線に対する径方向に沿って、前記基準線の側から前記基板の前記周端部まで分断することなく延びている。
【０００７】
本願に開示する照明器具において、前記基板は、前記基板の前記周端部のうち第１位置から第２位置まで延びる一対の第２導電領域を有することが好ましい。前記一対の第２導電領域の各々は、前記主面のうち前記基準線を含む中央領域を通過することが好ましい。
【０００８】
本願に開示する照明器具において、前記第１導電領域には、光を拡散又は反射する塗料が塗布されていることが好ましい。
【０００９】
本願に開示する照明器具は、筐体をさらに備えることが好ましい。前記筐体は、前記基板及び前記複数の発光素子を収容することが好ましい。前記筐体は、開口と、枠部とを有することが好ましい。前記開口には、前記発光素子の発光した光が通過することが好ましい。前記枠部は、遮光性を有し、前記開口を形成することが好ましい。前記主面のうち、前記発光素子に対して前記基準線の側の領域には、文字が形成されていることが好ましい。前記文字が形成された前記領域は、前記発光素子に隣接していることが好ましい。
【００１０】
本願に開示する照明器具において、前記基板は、原基板から切り離された分離部を有することが好ましい。前記主面上の第１領域の前記周方向の長さを示す第１距離は、前記主面上の第２領域の前記周方向の長さを示す第２距離よりも長いことが好ましい。前記第１領域は、前記周方向に互いに隣り合う前記発光素子の間の領域であって、前記分離部に対向することが好ましい。前記第２領域は、前記周方向に互いに隣り合う前記発光素子の間の領域であって、前記分離部に対向しないことが好ましい。
【００１１】
本願に開示する照明器具において、前記基板は、切欠き部を有することが好ましい。前記複数の発光素子は、発光素子群を構成することが好ましい。前記発光素子群の前記周方向の両端部に位置する少なくとも１つの前記発光素子は、前記切欠き部に前記周方向に対向することが好ましい。
【発明の効果】
【００１２】
本発明の照明器具によれば、発光素子からの熱を効果的に放散できる。
【図面の簡単な説明】
【００１３】
【図１】本発明の実施形態１に係る照明器具を示す斜視図である。
【図２】本発明の実施形態１に係る基板を示す平面図である。
【図３】本発明の実施形態１に係る発光素子群を示す回路図である。
【図４】本発明の実施形態１に係る照明器具を第１方向から見た平面図である。
【図５】本発明の実施形態１に係る照明器具を第２方向から見た平面図である。
【図６】図５のＶＩ−ＶＩ線に沿った模式的断面図である。
【図７】本発明の実施形態２に係る照明器具を示す斜視図である。
【図８】本発明の実施形態２に係る基板を示す平面図である。
【図９】本発明の実施形態２に係る照明器具を示す平面図である。
【発明を実施するための形態】
【００１４】
以下、図面を参照して本発明に係る照明器具の実施形態について説明する。なお、図中、同一又は相当部分については同一の参照符号を付して説明を繰り返さない。また、図中、理解の容易のため、三次元直交座標系のＸ軸、Ｙ軸、およびＺ軸を適宜記載している。Ｘ軸及びＹ軸は水平方向に平行であり、Ｚ軸は鉛直方向に平行である。Ｚ軸の正方向は鉛直上方向を示し、Ｚ軸の負方向は鉛直下方向を示す。
【００１５】
（実施形態１）
図１を参照して、実施形態１に係る照明器具１００について説明する。図１は、実施形態１に係る照明器具１００を示す斜視図である。照明器具１００は、例えば、天井のような天壁または側壁に取り付けられる。実施形態１において、照明器具１００は、例えば、シーリングライトである。照明器具１００は、例えば、略円柱形状を有する。照明器具１００は、筐体１１０と、導光板１２０とを備える。
【００１６】
筐体１１０は、開口１１１ａと、枠部１１１と、筐体本体１１３とを有する。筐体本体１１３は、例えば略柱形状を有する。実施形態１において、筐体本体１１３は、略円柱形状を有する。枠部１１１は、略円環形状を有し、開口１１１ａを形成する。以下、本明細書では、照明器具１００のうち、枠部１１１の側から照明器具１００を見るときの方向を「第１方向Ｄ１」と記載し、第１方向Ｄ１の反対方向を「第２方向Ｄ２」と記載する。
【００１７】
導光板１２０は、平板形状を有する。実施形態１において、導光板１２０は、略円板形状を有する。例えば、導光板１２０は、光拡散材料を混ぜた樹脂を板状に成形することによって形成される。例えば、導光板１２０は、透明色（有色透明又は無色透明）を有する。ただし、導光板１２０は、白色のような色彩を有していてもよい。
【００１８】
筐体１１０は、基板１及び複数の発光素子２を収容する。以下、図２を参照して、基板１及び複数の発光素子２について説明する。
【００１９】
図２は、実施形態１に係る基板１を示す平面図である。具体的には、図２は、第１方向Ｄ１から基板１を見たときの平面図である。図２に示すように、照明器具１００は、基板１と複数の発光素子２と電源部１３０とをさらに備える。基板１は、主面１０と、複数の第１導電領域１１と、一対の第２導電領域１２と、第３導電領域１３と、接続部１４と、第１端子１５と、第２端子１６と、複数の分離部１７とを有する。基板１は、平板形状を有する。実施形態１において、基板１は、略円板形状を有する。
【００２０】
電源部１３０は、外部電源に接続されている。実施形態１において、外部電源は商用電源である。電源部１３０には外部電力が供給される。電源部１３０は、発光素子２の仕様に基づいて、外部電源電圧（交流）を内部電源電圧（直流）に変換し、内部電源電圧に基づく電流を発光素子２に供給する。なお、実際には、電源部１３０は、基板１の裏側に配置されるが、図２においては簡略的に図示した。
【００２１】
主面１０は、基板１に直交する基準線ＡＸに対する径方向ＲＤに沿って延びている。実施形態１において主面１０は、ユーザーが第１方向Ｄ１から基板１を見たときに、基板１のうちユーザーと対向する面を構成する。主面１０には、第１導電領域１１、第２導電領域１２、第３導電領域１３、接続部１４、第１端子１５及び第２端子１６の各々が配置される。基準線ＡＸは、基板１の中心軸に相当する。つまり、基準線ＡＸは、基板１の回転対称軸に略一致する。
【００２２】
複数の発光素子２は、発光素子群２ｇを構成する。複数の発光素子２の各々は、アノード端子とカソード端子とを備える。発光素子２のアノード端子は、一方の第１導電領域１１に電気的に接続される。また、発光素子２のカソード端子は一方の第１導電領域１１に周方向ＣＤに隣り合う他方の第１導電領域１１に電気的に接続される。複数の発光素子２の各々は、電流が供給されると発光する。実施形態１では、発光素子２は、ＬＥＤ（Ｌｉｇｈｔ  Ｅｍｉｔｔｉｎｇ  Ｄｉｏｄｅ）である。実施形態１において、発光素子２は、例えば、ＳＭＤ（Ｓｕｒｆａｃｅ  Ｍｏｕｎｔ  Ｄｅｖｉｃｅ）タイプである。また、例えば、発光素子２は、ＣＯＢ（Ｃｈｉｐ  ｏｎ  Ｂｏａｒｄ）タイプであってもよい。複数の発光素子２は、基準線ＡＸに対する周方向ＣＤに沿って、基板１の周端部１ｅに配置される。
【００２３】
主面１０のうち、発光素子２に対して基準線ＡＸの側の領域には、文字Ｃｈが形成されている。例えば、文字Ｃｈは、シルク印刷によって主面１０に形成される。文字Ｃｈは、例えば、ひらがな、カタカナ、漢字、及びアルファベットのような文字、数字、記号、並びにマークのうちの少なくとも１つを含む。図２の例では、文字Ｃｈは「ＬＥＤ」である。文字Ｃｈが形成された領域は、発光素子２に隣接している。具体的には、文字Ｃｈが形成された領域は、例えば、発光素子２に対して径方向ＲＤに隣接している。
【００２４】
分離部１７は、基板１が原基板（不図示）と接続されていた部分である。基板１は、分離部１７で原基板から切り離されている。すなわち、分離部１７は、原基板から切り離された部分である。基板１の主面１０は、第１領域Ｒ１と第２領域Ｒ２とを有する。第１領域Ｒ１は、周方向ＣＤに互いに隣り合う発光素子２の間の領域であって、分離部１７に径方向ＲＤに対向する。第２領域Ｒ２は、周方向ＣＤに互いに隣り合う発光素子２の間の領域であって、分離部１７に径方向ＲＤに対向しない。
【００２５】
主面１０上の第１領域Ｒ１における第１距離Ｌ１は、第１領域Ｒ１の周方向ＣＤの長さを示す。主面１０上の第２領域Ｒ２における第２距離Ｌ２は、第２領域Ｒ２の周方向ＣＤの長さを示す。第１距離Ｌ１は、第２距離Ｌ２よりも長い。従って、第１距離Ｌ１と第２距離Ｌ２とが同じ長さである場合よりも、第１領域Ｒ１に隣接する２つの発光素子２の各々から分離部１７までの距離を長くすることができる。その結果、基板１を原基板から切り離すときに、第１導電領域１１に応力が伝わりにくくなるため、第１導電領域１１のうち発光素子２が配置される部分の変形及び／又は損傷を防止できる。ひいては、第１導電領域１１と発光素子２との接続不良を防止できる。
【００２６】
複数の第１導電領域１１の各々は、基板１の主面１０に配置される。複数の第１導電領域１１の各々は、例えば、銅箔のような導電部材によって構成される。第１導電領域１１は、例えば、略三角形形状、又は略扇形形状を有する。実施形態１において、第１導電領域１１は、略二等辺三角形形状を有する。
【００２７】
実施形態１において、第１導電領域１１の一部には、例えば、光を拡散又は反射する塗料が塗布されていてもよい。例えば、第１導電領域１１の一部は、白色の塗料、又は銀色の塗料が塗布されていてもよい。従って、この場合に、第１導電領域１１は、拡散板又は反射板として機能することができる。その結果、照明器具１００の点灯時に発光ムラが生じることを抑制できる。
【００２８】
第１導電領域１１の径方向ＲＤの両端部のうち基準線ＡＸ側の内端部１１ｐは、中央領域ＲＣの円周上に配置される。第１導電領域１１の径方向ＲＤの両端部のうち内端部１１ｐの反対側の外端部１１ｔは、基板１の周端部１ｅに配置される。複数の第１導電領域１１は、基準線ＡＸに対する径方向ＲＤの外側に向かって放射状に配置される。複数の第１導電領域１１の各々は、径方向ＲＤに沿って、基準線ＡＸの側から基板１の周端部１ｅまで分断することなく延びている。すなわち、複数の第１導電領域１１の各々は、内端部１１ｐから外端部１１ｔまで分断することなく延びている。複数の第１導電領域１１は、互いに周方向ＣＤに離隔している。
【００２９】
実施形態１において、第１導電領域１１の外端部１１ｔと発光素子２の外端とは、周方向ＣＤに略一致しているが、第１導電領域１１が周方向ＣＤに互いに隣り合う発光素子２を接続する限り、外端部１１ｔは、発光素子２の外端よりも径方向ＲＤに外側に位置していてもよい。また、外端部１１ｔは、発光素子２の外端よりも径方向ＲＤに内側に位置していてもよい。外端部１１ｔが発光素子２の外端よりも径方向ＲＤに外側に位置する場合であって、基板１の厚みが１ｍｍである場合、発光素子２の外端から外端部１１ｔまでの長さは、例えば、略２．５ｍｍ以上である。
【００３０】
複数の第１導電領域１１は、周方向ＣＤに互いに隣り合う発光素子２を電気的に接続する。複数の第１導電領域１１の各々は、発光素子２からの熱を放散する。具体的には、複数の第１導電領域１１の各々は、発光素子２のカソード端子またはアノード端子が電気的に接続されている。従って、発光素子２の内部の発光ダイオードで発生した熱がカソード端子及び／又はアノード端子を介して第１導電領域１１に伝わる。そして、複数の第１導電領域１１の各々は、発光素子２の内部の発光ダイオードからの熱を放散する。また、複数の第１導電領域１１の各々は、発光素子２が第１導電領域１１に接触、又は微小隙間を挟んで基準線ＡＸが延びる軸方向ＡＤ（図１参照）に対向しているため、発光素子２で発生した熱が第１導電領域１１に伝わり、発光素子２からの熱を放散する。従って、第１導電領域１１の各々が基準線ＡＸの側から基板１の周端部１ｅまでの間で分断される場合と比較して、第１導電領域１１の面積を大きくすることができる。その結果、発光素子２からの熱を効果的に放散できる。
【００３１】
また、実施形態１において、複数の第１導電領域１１の各々の面積は略均等である。従って、複数の発光素子２の各々からの熱を略均等に放散できる。その結果、発光素子２からの熱に起因した発光素子２の劣化速度のバラツキを抑制することができる。
【００３２】
一対の第２導電領域１２の各々は、例えば、銅箔のような導電部材によって構成される。一対の第２導電領域１２の一方を「第２導電領域１２ａ」と記載し、他方を「第２導電領域１２ｂ」と記載する場合がある。一対の第２導電領域１２の各々は、基板１の周端部１ｅのうち第１位置Ｐ１から第２位置Ｐ２まで延びる。第１位置Ｐ１は、基板１の周端部１ｅのうちの所定の位置である。実施形態１において、第２位置Ｐ２は、例えば、基板１の周端部１ｅのうち、基準線ＡＸを介して第１位置Ｐ１と互いに対向する位置である。一対の第２導電領域１２の各々は、主面１０のうち基準線ＡＸを含む中央領域ＲＣを通過する。一対の第２導電領域１２は、互いに径方向ＲＤに離隔している。
【００３３】
第３導電領域１３は、例えば、銅箔のような導電部材によって構成される。実施形態１において、第３導電領域１３は、第１位置Ｐ１に位置し、第２導電領域１２ａ及び第２導電領域１２ｂと離隔している。実施形態において、第３導電領域１３は、基板１の周端部１ｅに位置する。第３導電領域１３は、発光素子２ｃ（アノード端子）に接続する。
【００３４】
実施形態１において、接続部１４は、例えば、第１位置Ｐ１に位置する。接続部１４は、第２導電領域１２ａと第３導電領域１３とを接続する。例えば、接続部１４は、ワイヤーであって、第２導電領域１２ｂをまたいで第２導電領域１２ａと第３導電領域１３とを接続する。接続部１４は、第２導電領域１２ｂに接続（接触）していない。接続部１４のうちの第２導電領域１２ａの側は、発光素子２ｂと隣り合う。また、接続部１４は、発光素子２ｂと反対の側で発光素子２ｃと隣り合う。
【００３５】
実施形態１において、第１端子１５及び第２端子１６の各々は、第２位置Ｐ２に位置する。すなわち、第１端子１５及び第２端子１６の各々は、基準線ＡＸを挟んで接続部１４に互いに対向する。第１端子１５及び第２端子１６は、電力線を介して電源部１３０にそれぞれ接続する。第１端子１５は、発光素子２ａと周方向ＣＤに隣り合う。第２端子１６は、発光素子２ｄと周方向ＣＤに隣り合う。第１端子１５は、第２導電領域１２ａに接続される。第２端子１６は、第２導電領域１２ｂに接続される。
【００３６】
第２導電領域１２ａは、発光素子２ａと、発光素子２ｃとを接続する。具体的には、第２導電領域１２ａは、接続部１４と第３導電領域１３とを介して、発光素子２ａと、発光素子２ｃとを接続する。第２導電領域１２ｂは、発光素子２ｂと発光素子２ｄとを接続する。
【００３７】
すなわち、第２導電領域１２ａと第２導電領域１２ｂとの間で、複数の発光素子２の一部の発光素子２（時計回りに発光素子２ａから発光素子２ｂまでの直列に接続された発光素子列）と、他の一部の発光素子２（時計回りに発光素子２ｃから発光素子２ｄまでの直列に接続された発光素子列）とが並列に接続される。従って、全ての発光素子２を直列に接続する場合と比較して、発光素子２に印加する内部電源電圧を小さくすることができる。その結果、発光素子２に内部電源電圧を印加する電源部１３０のサイズを小さくすることができる。ひいては、照明器具１００を小型化することができる。
【００３８】
次に、図３を参照して、発光素子群２ｇの構成について詳細に説明する。図３は、実施形態１に係る発光素子群２ｇを示す回路図である。発光素子２ａから発光素子２ｂまでの発光素子列と、発光素子２ｃから発光素子２ｄまでの発光素子列とは、第２導電領域１２ａと第２導電領域１２ｂとの間で並列に接続されている。発光素子群２ｇの一部の発光素子２は、第２導電領域１２ａと第２導電領域１２ｂとの間で直列に接続されている。具体的には、発光素子２ａから発光素子２ｂまでは、第２導電領域１２ａと第２導電領域１２ｂとの間で直列に接続されている。また、発光素子２ｃから発光素子２ｄまでは、第２導電領域１２ａと第２導電領域１２ｂとの間で直列に接続されている。
【００３９】
具体的には、発光素子２ａのアノード端子が第２導電領域１２ａに接続される。また、発光素子２ｃのアノード端子が第２導電領域１２ａに接続される。さらに、発光素子２ｂのカソードが第２導電領域１２ｂに接続される。さらに、発光素子２ｄのカソードが第２導電領域１２ｂに接続される。さらに、直列に接続されている互いに隣り合う発光素子２のアノード端子とカソード端子とは、第１導電領域１１によって接続される。
【００４０】
発光素子２ａから発光素子２ｂまでの発光素子２には、第１端子１５及び第２導電領域１２ａを介して、電源部１３０から電流が供給される。同様に、発光素子２ｃから発光素子２ｄまでの発光素子２には、第１端子１５及び第２導電領域１２ａを介して、電源部１３０から電流が供給される。
【００４１】
次に、図４を参照して、基板１に形成された文字Ｃｈについて説明する。図４は、照明器具１００を第１方向Ｄ１（図１参照）から見たときの平面図を示す。図４に示すように、第１方向Ｄ１から照明器具１００を見たときに、基板１の主面１０の文字Ｃｈが形成された領域は、枠部１１１と軸方向ＡＤ（図１参照）に重なっている。すなわち、第１方向Ｄ１から照明器具１００を見たときに、基板１の主面１０に形成された文字Ｃｈは、枠部１１１と軸方向ＡＤに重なっている。枠部１１１は、遮光性を有する。従って、筐体１１０の開口１１１ａの側から照明器具１００を見たときに文字Ｃｈを目立ちにくくすることができる。特に、消灯時に文字Ｃｈを目立ちにくくすることができる。ひいては、照明器具１００の美感を向上させることができる。
【００４２】
導光板１２０には、例えば、ドットパターンが形成されている。ドットパターンは、入射する光を透過及び拡散させる透光性を有する。導光板１２０には、発光素子２が発した光が入射する。すなわち、導光板１２０は、入射した光を導光しながら、入射した光を拡散させて出射する。また、ドットパターンを導光板１２０のうちの少なくとも枠部１１１に近い領域に形成させることで、文字Ｃｈをさらに目立ちにくくすることができる。特に、消灯時に文字Ｃｈを目立ちにくくすることができる。ひいては、照明器具１００の美感を向上させることができる。
【００４３】
また、第１方向Ｄ１から照明器具１００を見たときに、複数の発光素子２は、枠部１１１と軸方向ＡＤに重なっている。従って、発光素子２が出射した光が、直進して照明器具１００から出射されることを抑制できる。その結果、眩しさ（グレア）を低減できる。
【００４４】
次に、図５を参照して、電源部１３０の位置について説明する。図５は、照明器具１００を第２方向Ｄ２から見たときの平面図を示す。図５に示すように、筐体１１０は、支持板１１２を更に有する。支持板１１２は、電源部１３０を支持する。
【００４５】
電源部１３０は、基準線ＡＸよりも発光素子２に近い位置に配置されている。より具体的には、基準線ＡＸよりも電源部１３０は、発光素子２に周方向ＣＤに隣り合う第１端子１５及び第２端子１６（図２参照）に近い位置に配置されている。従って、電源部１３０が基準線ＡＸの近傍に配置されている場合よりも、電源部１３０と第１端子１５及び第２端子１６の各々とを接続する電力線を短くすることができる。その結果、照明器具１００のコストを削減することができる。
【００４６】
次に、図６を参照して、照明器具１００について詳細に説明する。図６は、図５のＶＩ−ＶＩ線に沿った模式的断面図である。図６では、図面の簡略化のため、発光素子２の断面と文字Ｃｈの断面とを示す斜線を省略している。図６に示すように、基板１は、支持板１１２に取り付けられている。発光素子２は、基板１と、導光板１２０との間に位置する。
【００４７】
導光板１２０は、基板１を覆っている。従って、導光板１２０は、基板１が露出することを抑制して、発光素子２に粉塵が付着することを抑制できる。
【００４８】
導光板１２０は、略平板形状を有する。実施形態１において、導光板１２０は、略円板形状を有する。導光板１２０は、断面視において、略台形形状を有する。導光板１２０は、入射面１２１、反射面１２２及び出射面１２３を有する。入射面１２１は、出射面１２３よりも大きい。また、出射面１２３は、筐体１１０が有する開口１１１ａよりも大きい。すなわち、出射面１２３の外縁は、枠部１１１の内周縁よりも基準線ＡＸに対して外側に位置する。従って、枠部１１１は、導光板１２０を支持する。入射面１２１と出射面１２３とは、軸方向ＡＤに互いに対向する。ユーザーが第１方向Ｄ１から照明器具１００を見たときに、ユーザーは、出射面１２３と対向する。入射面１２１は、基板１及び発光素子２の各々と対向する。
【００４９】
反射面１２２は、基準線ＡＸに対して傾斜している。発光素子２からの光は、入射面１２１を通って反射面１２２に入射する。反射面１２２は、反射面１２２に入射した光を反射する。反射面１２２を反射した光は、導光板１２０の内部を進行し、導光板１２０に形成されたドットパターンによって拡散され、入射面１２１と出射面１２３とから出射する。入射面１２１から出射した光は、基板１の主面１０で反射して、再び入射面１２１に入射し、導光板１２０に形成されたドットパターンによって拡散されて出射面１２３から出射する。出射面１２３から出射した光は、開口１１１ａを通過する。すなわち、開口１１１ａでは、発光素子２の発光した光が通過する。つまり、開口１１１ａから発光素子２の発光した光が出射される。
【００５０】
枠部１１１が遮光性を有するため、影が枠部１１１の近傍及び基板１の周端部１ｅの近傍に生じ得る。従って、枠部１１１の近傍及び基板１の周端部１ｅの近傍に生じた影によって、文字Ｃｈを目立ちにくくすることができる。ひいては、照明器具１００の美感を向上させることができる。
【００５１】
（実施形態２）
次に、図７を参照して実施形態２に係る照明器具１００ａについて説明する。実施形態２では、照明器具１００ａがセンサー１５０を有する点で、実施形態２は実施形態１と異なる。以下、実施形態２について、実施形態１と異なる事項について説明し、実施形態１と重複する部分についての説明は割愛する。
【００５２】
図７は、実施形態２に係る照明器具１００ａを示す斜視図である。照明器具１００ａは、パネル１４０とセンサー１５０とを備える。実施形態２において、導光板１２０は、切欠き部１２４を有する。
【００５３】
パネル１４０は、筐体１１０の支持板１１２（図６参照）に取り付けられている。支持板１１２は、導光板１２０の切欠き部１２４からパネル１４０が露出するようにパネル１４０を支持する。すなわち、パネル１４０は、導光板１２０の切欠き部１２４から露出している。
【００５４】
センサー１５０は、例えば、照明器具１００の周囲環境の変化を検知する。センサー１５０は、例えば、人感センサー、又は照度センサーである。人感センサーは、例えば、人又は動物などが放射する赤外線を検知する赤外線センサーである。また、人感センサーは、例えば、人又は動物などを撮影するカメラである。照度センサーは、周囲環境の明るさを検知する。例えば、センサー１５０は、照明器具１００が設置された室内に入室したユーザーを検知する。センサー１５０は、パネル１４０に形成された略円形状の開口部１４１から露出する。センサー１５０が周囲環境の変化を検知したことに応じて、複数の発光素子２に電流が供給される。そして、複数の発光素子２の各々が発光する。
【００５５】
次に、図８及び図９を参照して、実施形態２にかかる基板１ａについて説明する。図８は、実施形態２に係る基板１ａを示す平面図である。図９は、実施形態２に係る照明器具１００ａを第１方向Ｄ１から見たときの平面図である。図８に示すように、基板１ａは、切欠き部１８をさらに有する。切欠き部１８は、照明器具１００ａの周端部１ｅから基準線ＡＸに向かって切り欠かれている。
【００５６】
発光素子群２ｇの周方向ＣＤの両端部に位置する少なくとも１つの発光素子２ｎは、切欠き部１８に周方向ＣＤに対向する。実施形態２において、発光素子群２ｇの周方向ＣＤの両端部に位置する一対の発光素子２ｎの各々は、切欠き部１８に周方向ＣＤに対向する。
【００５７】
図９に示すように、第１方向Ｄ１から照明器具１００ａを見たときに、導光板１２０の切欠き部１２４は、基板１の切欠き部１８と軸方向ＡＤに重なる位置に配置されている。また、一対の発光素子２ｎの各々は、中央領域ＲＣよりも導光板１２０の切欠き部１２４の近くに配置されている。従って、発光素子が基板１の中央領域ＲＣの近傍に位置する場合よりも、切欠き部１８の近傍で発光素子２が発光できる。その結果、発光素子が基板１の中央領域ＲＣの近傍で発光する場合よりも、切欠き部１８の周縁が暗くなることを抑制できる。なお、発光素子群２ｇの周方向ＣＤの両端部に位置する２つの発光素子２ｎのそれぞれが、切欠き部１８に周方向ＣＤに対向してもよい。
【００５８】
以上、本発明の実施形態について、図面（図１〜図９）を参照しながら説明した。但し、本発明は、上記の実施形態に限られるものではなく、その要旨を逸脱しない範囲で種々の態様において実施することが可能である（例えば、下記に示す（１）〜（６））。また、上記の実施形態で示す形状等は、一例であって特に限定されるものではなく、本発明の効果から実質的に逸脱しない範囲で種々の変更が可能である。
【００５９】
（１）例えば、本発明の実施形態では、シーリングライトに本発明が適用される場合を説明したが、本発明は、例えば、ベースライト又はダウンライトにも適用可能である。
【００６０】
（２）図２を参照して説明したように、複数の第１導電領域１１は、基準線ＡＸの側から基板１の周端部１ｅまで放射状に延びていた。ただし、第１導電領域１１が基準線ＡＸの側から基板１の周端部１ｅまで分断することなく延びているかぎり、複数の第１導電領域１１の各々は、例えば、基準線ＡＸの側から基板１の周端部１ｅまでジグザグに延びていてもよい。
【００６１】
（３）図５を参照して説明したように、照明器具１００を第２方向Ｄ２から見たときに、電源部１３０は、基準線ＡＸよりも発光素子２に近い位置に配置されていた。ただし、電源部１３０は、発光素子２と基準線ＡＸとの間に配置されてもよい。また、電源部１３０は、基準線ＡＸに軸方向ＡＤに重なる位置に配置されてもよい。この場合、照明器具１００を第２方向Ｄ２から見たときに、電源部１３０は、第１導電領域１１及び／又は第２導電領域１２に重なる位置に配置される。従って、第１導電領域１１及び／又は第２導電領域１２は、電源部１３０からの熱を効果的に放散することができる。
【００６２】
（４）図１を参照して説明したように、照明器具１００は、導光板１２０を備えていた。ただし、基板１を覆うことができる限り、照明器具１００は、導光板１２０に代えてカバー部材を備えていてもよい。カバー部材は、例えば略板形状を有する。カバー部材は、基板１を覆うように配置される。カバー部材は、例えば、透明又は半透明であり、光を透過させる。カバー部材は、例えば、乳白色のような色彩を有していてもよい。
【００６３】
（５）図２及び図８を参照して説明したように、複数の発光素子２は、基準線ＡＸに対する周方向ＣＤに沿って、基板１の周端部１ｅに１列で配置されていた。ただし、複数の発光素子２の一部の発光素子２が基板１の周端部１ｅに配置されている限り、複数の発光素子２の他の発光素子２は、２列以上で配置されていてもよい。この場合、例えば、２列目に配置される他の発光素子２は、一列目に配置される一部の発光素子２の基準線ＡＸの側で、周方向ＣＤに沿って配置される。
【００６４】
（６）図２を参照して説明したように、第１導電領域１１には、光を拡散する塗料が塗布されていた。ただし、第１導電領域１１が導電性を有する限り、第１導電領域１１には、光を拡散する塗料が塗布されずに剥き出しであってもよい。この場合、第１導電領域１１は、発光素子２からの熱をさらに効果的に放散できる。また、複数の第１導電領域１１のうち、一部の第１導電領域１１には、光を拡散する塗料が塗布されており、他の第１導電領域１１には、光を拡散する塗料が塗布されていなくてもよい。
【産業上の利用可能性】
【００６５】
本発明は、例えば、照明器具の分野に有用である。
【符号の説明】
【００６６】
１        基板
１ａ      基板
１０      主面
１１      第１導電領域
１２      第２導電領域
１７      分離部
１８      切欠き部
１００    照明器具
１００ａ  照明器具
１１０    筐体
１１１    枠部
１１１ａ  開口
１７０    切欠き部
２        発光素子
２ｇ      発光素子群
ＡＸ      基準線
Ｃｈ      文字
ＣＤ      周方向
ＲＤ      径方向
Ｌ１      第１距離
Ｌ２      第２距離
Ｐ１      第１位置
Ｐ２      第２位置
Ｒ１      第１領域
Ｒ２      第２領域
ＲＣ      中央領域
【図１】
2020181642.tif 000003
【図２】
2020181642.tif 000004
【図３】
2020181642.tif 000005
【図４】
2020181642.tif 000006
【図５】
2020181642.tif 000007
【図６】
2020181642.tif 000008
【図７】
2020181642.tif 000009
【図８】
2020181642.tif 000010
【図９】
2020181642.tif 000011